(57)【要約】【課題】  従来の複数の板を各直角に折り曲げて一部を直立させ、その直立部を並べた間に本を立てる本立ては、本の出し入れ等によりその間隔が容易にずれて本が倒れやすかった。これはその間隔を手軽かつ確実に維持し変更する機能が無かったためである。【解決手段】  本を支える並んだ直立部の手軽な間隔の維持と変更を可能とするため平面から立ち上がる直立部の空間領域の基部かその付近に突起を付設し、平面の一部を、突起を嵌合すための嵌合孔を設けて連結帯とした仕様体が、同様の複製の仕様体の複製基部に連結帯を差し込んで複製突起に嵌合孔を嵌合して両仕様体を連結して、その間隔を手軽かつ確実に維持し変更する機能を有する本立てとした。【選択図】図２
2011000412.tif 000002
【特許請求の範囲】
【請求項１】
板を、その面に面の端に達しない箇所で裏面まで切削する切断溝をＵ字状に設けて、そのＵの両上端かそれよりもやや下を通過する直線で板をＵ字状内側部を除いて直角状に折り曲げた状態に直立させ、直立しない部分の折り曲げられなかったＵ字状内側部をＵ字状の連結帯として、Ｕ字状の内側上端の前記直線上、またはその付近にひとつ以上の突起を付設し、その突起を通過点とする、前記直線との直交線上にその面から裏面まで切開する嵌合孔を複数開孔した仕様体として、同様の複製の仕様体の複製突起に前記連結帯の嵌合孔を嵌合させた本立て。
【発明の詳細な説明】
【技術分野】
【０００１】本発明は、本を支える並んだ直立部の手軽な間隔の維持と変更を可能とした本立てに関する。
【背景技術】
【０００２】  従来の、複数の板を各直角に折り曲げて一部を直立させ、その直立部を並べた間に本を立てる本立ては、本の出し入れ等によりその間隔が容易にくずれて本が倒れやすかった。
【発明の開示】
【発明が解決しようとする課題】
【０００３】  本発明は従来の実態が有していた問題を解決しようとするものであり、本を支える並んだ直立部の手軽な間隔の維持と変更を可能とするものである。
【課題を解決するための手段】
【０００４】本発明は、その実現のため、板を、その面に面の端に達しない箇所で裏面まで切削する切断溝をＵ字状に設けて、そのＵの両上端かそれよりもやや下を通過する直線で板をＵ字状内側部を除いて直角状に折り曲げた状態に直立させて直立部とすれば、その直立部のＵ字状領域は空間となり、直立しない部分の折り曲げられなかったＵ字状内側部を連結帯として、Ｕの内側上端の前記直線上、またはその付近にひとつ以上の突起を付設し、その突起を通過点として、前記直線との直交線上にその面から裏面まで切開する嵌合孔を複数開孔した仕様体とする。
なお、文中、単に面と表示しているのは直立部側の面を言い、反対側の面は裏面と表示し、前記Ｕ字状の内側上端の直線を、以下、単に内側直線とも言う【０００５】  他の板を同様の複製の仕様体として、その複製直立部の複製空間領域に差し込んだ前記連結帯の嵌合孔のうちの適宜の嵌合孔を、複製の仕様体の複製突起に嵌合して仕様体と複製の仕様体を連結し、並んだ両直立部を任意の間隔調整可能とした本立てとする。【０００６】  複数の板を同様の複製の仕様体とし、各連結帯を同一方向あるいは向かい合わせ方向に並べて、前記同様の嵌合態様を繰り返す。【０００７】  突起の付設は、板の面から裏面まで半円形やコの字形に切断した部分を面側に直立に折り曲げて突起させたもの、あるいは適宜の素材を板の面に溶接法で突起状に取り付け、あるいは、雄ねじ部を有する素材を、面に設けた雌ねじ部に嵌合固定して突起状とする、あるいは突起を含めた仕様体の一体成型等、生産量や原価コストを勘案して選択する。【０００８】  突起は、嵌合孔に嵌合して仕様体と複製の仕様体を連結し、直立部の間隔の維持のための十分な強度のあるものとするが、嵌合孔を小さくすれば、連結帯を切開する部分がより小さくて済むので連結帯の強度をより高くでき、さらに、突起の前記直交線方向の径が直立部の厚み以下とすれば、直立部同士の連結密着も出来るようになる場合もあるので、以上の可能な限り小容積とする。【０００９】  突起は、内側直線上を含めたその付近の中央位置で、内側直線の中央での直交線上すなわち連結帯中心線上、または内側直線上を含めたその付近の連結帯中心線をはさんだ左右対称位置、以上のすべての位置、または、そのいずれかの位置に突起を付設する。【００１０】突起を通過点として、内側直線との直交線上にその面から裏面まで切開する嵌合孔を複数開孔する。
嵌合孔は内側直線の中央での直交線上や、その直交線をはさんだ左右対称位置として、各連結帯を同一方向あるいは向かい合わせ方向に並べて前記同様の嵌合態様を繰り返すことが可能な位置に開孔する。そうして、各仕様体を同一方向に並べて嵌合調整しながら、直立部同士の間隔を狭めて、ついには互いを密着させても隣り合う突起を嵌合が出来る位置として、突起の間際にも開孔すれば複数の仕様体を小さな容積量にまとめることが出来る。【００１１】  本考案実施をプラスチック材の成型や、金属材の加工物とする。【００１２】  上記課題解決手段による作用は次のとおりである。
板を、前記仕様体とし、他の板を同様の複製の仕様体として、その複製の仕様体の複製直立部の複製空間領域に差し込んだ仕様体の連結帯の嵌合孔のうちの適宜の嵌合孔で複製連結帯の複製突起に嵌合して仕様体と複製の仕様体を連結すれば両直立部を任意の間隔に出来、外部から両直立部間を不如意の間隔に動かそうとする力が働いても、嵌合孔と複製突起が嵌合していてその力を阻止するため、両直立部の不如意の間隔移動が防がれる。
両直立部の間隔を変更するには連結帯を複製突起よりも高く持ち上げて移動し、適宜の嵌合孔に前記同様に嵌合すればよいので、本を支える並んだ直立部の手軽な間隔の維持と変更が可能となるものである。【００１３】  複数の板を同様の複製の仕様体とし、各連結帯を同一方向に並べ、あるいは向かい合わせに並べて、前記嵌合態様を繰り返すことにより、限りなく収容力の大きい、各直立部それぞれを相互の間隔の手軽な維持と変更が可能な間仕切りとした本立てとなる。【００１４】  突起を、前記連結帯中心線上のみとすれば、その突起を通過点として、内側直線との直交線上に複数開孔する嵌合孔は一列のみでよいので連結帯を切開する部分が比較的少なくて済み、連結帯の強度をより高くでき、あるいは、突起を前記の如き複数の付設として嵌合すれば、嵌合効果がより高まり、外部からの不如意の力への抵抗性が増す。【００１５】  本考案実施をプラスチック材の成型とすれば、より量産効果が望めるし、金属材の加工として、強度の高いものとしても良い。【００１６】
【発明を実施するための最良の形態】
【００１７】本発明の実施の一例の形態を図１、図２、図３に基づいて説明する。
図１は本発明の仕様体１の直立部１４の空間領域１４１の基部に突起１１を３箇所付設し、連結帯１４２には、各突起１１を通過点として連結帯１４２の中心線と同一方向に伸びる線上に嵌合孔１２を１２箇所開孔しており、図２は複製の仕様体２の複製直立部２４の複製空間領域２４１に差し込んだ仕様体１の連結帯１４２を、複製直立部２４の基部の複製突起２１に任意の嵌合孔１２で嵌合して、複製連結帯２４２に連結体１４２の一部が重なる状態で仕様体１と複製の仕様体２が連結している概略図で、そうして複製直立部２４と直立部１４の間隔を任意の間隔で維持し、その間隔を変更するには連結帯１４２を複製小径部２１よりも高く持ち上げて移動させて、以下前記同様の嵌合態様とする、本を支える並んだ直立部の手軽な間隔の維持と変更が可能な本立てとしたものである。
図３では仕様体１と複製の仕様体２を同一方向にして直立部同士を密着させて直立部の厚みよりも細くした複製突起２１に突起１１の間際の嵌合孔１２が嵌合している状態の部分概略断面図である。
【図面の簡単な説明】
【００１８】
【図１】本発明の実施形態を示す、仕様体１の外観図
【図２】同、仕様体１と複製の仕様体２を嵌合した本立ての概略図
【図３】直立部同士を密着させた状態の嵌合部分の概略断面図
【符号の説明】
【００１９】１      仕様体
２      複製の仕様体
１１    突起
１２    嵌合孔
１４    直立部
２１    複製突起
２４    複製直立部
１４１  空間領域
１４２  連結体
２４１  複製空間領域
２４２  複製連結体
【図１】
2011000412.tif 000003
【図２】
2011000412.tif 000004
【図３】
2011000412.tif 000005